(57)【要約】    【課題】排出された後の媒体に対して後処理を行うことができるようにする。    【解決手段】媒体に画像を形成し、所定の媒体排出条件で媒体を排出する画像形成装置において、画像形成済みの媒体を搭載することが可能な媒体搭載部と、該媒体搭載部から媒体を搬送する搬送部と、媒体に画像を形成する画像形成部と、該画像形成部に対して媒体への非画像形成動作を指定するための指定部と、前記媒体排出条件で媒体を排出する媒体排出処理部とを有する。この場合、画像形成部に対して媒体への非画像形成動作が指定され、所定の媒体排出条件で媒体が排出されるので、画像形成され、排出された後の媒体に対して後処理を行うことができる。また、画像形成装置単体で後処理を行うことができる。【選択図】          図１
2005067114.tif 000002
【特許請求の範囲】
【請求項１】
媒体に画像を形成し、所定の媒体排出条件で媒体を排出する画像形成装置において、
（ａ）画像形成済みの媒体を搭載することが可能な媒体搭載部と、
（ｂ）該媒体搭載部から媒体を搬送する搬送部と、
（ｃ）媒体に画像を形成する画像形成部と、
（ｄ）該画像形成部に対して媒体への非画像形成動作を指定するための指定部と、
（ｅ）前記媒体排出条件で媒体を排出する媒体排出処理部とを有することを特徴とする画像形成装置。
【請求項２】
前記非画像形成動作の指定によって定着部の加熱が制限される請求項１に記載の画像形成装置。
【請求項３】
前記非画像形成動作の指定によって減法混色印刷における白色印刷が行われる請求項１に記載の画像形成装置。
【請求項４】
前記非画像形成動作の指定によって加法混色印刷における黒色印刷が行われる請求項１に記載の画像形成装置。
【請求項５】
前記非画像形成動作の指定によって前記画像形成部が退避位置に置かれる請求項１に記載の画像形成装置。
【請求項６】
前記媒体排出処理部は、排出方向の変更、ステープル処理、並べ替え及び仕分けのうちの少なくとも一つを行う請求項１に記載の画像形成装置。
【請求項７】
（ａ）画像形成部に対して媒体への非画像形成動作を指定し、
（ｂ）所定の媒体排出条件で媒体を排出することを特徴とする画像形成方法。
【請求項８】
前記非画像形成動作の指定によって定着部の加熱を制限する請求項７に記載の画像形成方法。
【請求項９】
前記非画像形成動作の指定によって減法混色印刷における白色印刷の指定を行う請求項７に記載の画像形成方法。
【請求項１０】
前記非画像形成動作の指定によって加法混色印刷における黒色印刷の指定を行う請求項７に記載の画像形成方法。
【請求項１１】
前記非画像形成動作の指定によって画像形成部を退避位置に置く請求項７に記載の画像形成方法。
【請求項１２】
前記媒体排出条件によって、排出方向の変更、ステープル処理、並べ替え及び仕分けのうちの少なくとも一つが行われる請求項７に記載の画像形成方法。
【発明の詳細な説明】
【技術分野】
【０００１】
本発明は、画像形成装置及び画像形成方法に関するものである。
【背景技術】
【０００２】
従来、画像形成装置、例えば、印刷装置においては、印刷制御部の画像データ展開部において画像データが展開され、展開された画像データが画像形成部に送られ、該画像形成部において画像形成処理が行われて、媒体としての用紙に画像が形成されるようになっている。そして、複数の用紙をホッチキスによって綴じるためのステープル機能、用紙に穴を開けるパンチ機能等を備えた印刷装置においては、後処理判定部が配設され、画像形成部において画像が形成された用紙に対してステープル処理、パンチ処理等の後処理を行うようになっている（例えば、特許文献１参照。）。
【特許文献１】特開２００１−１９２１６４号公報
【発明の開示】
【発明が解決しようとする課題】
【０００３】
しかしながら、前記従来の印刷装置においては、画像が形成され、排出部によって排出された後の用紙、すなわち、印刷済みの用紙に対しては後処理を行うことができない。例えば、オペレータが、ステープル処理、パンチ処理等の後処理を行う旨を指定するのを忘れて印刷を開始してしまった場合には、後処理を行うことができない。
【０００４】
本発明は、前記従来の印刷装置の問題点を解決して、排出された後の媒体に対して後処理を行うことができる画像形成装置及び画像形成方法を提供することを目的とする。
【課題を解決するための手段】
【０００５】
そのために、本発明の画像形成装置においては、媒体に画像を形成し、所定の媒体排出条件で媒体を排出するようになっている。
【０００６】
そして、画像形成済みの媒体を搭載することが可能な媒体搭載部と、該媒体搭載部から媒体を搬送する搬送部と、媒体に画像を形成する画像形成部と、該画像形成部に対して媒体への非画像形成動作を指定するための指定部と、前記媒体排出条件で媒体を排出する媒体排出処理部とを有する。
【発明の効果】
【０００７】
本発明によれば、画像形成装置においては、媒体に画像を形成し、所定の媒体排出条件で媒体を排出するようになっている。
【０００８】
そして、画像形成済みの媒体を搭載することが可能な媒体搭載部と、該媒体搭載部から媒体を搬送する搬送部と、媒体に画像を形成する画像形成部と、該画像形成部に対して媒体への非画像形成動作を指定するための指定部と、前記媒体排出条件で媒体を排出する媒体排出処理部とを有する。
【０００９】
この場合、画像形成部に対して媒体への非画像形成動作が指定され、所定の媒体排出条件で媒体が排出されるので、排出された後の媒体に対して後処理を行うことができる。
【００１０】
また、画像形成装置単体で後処理を行うことができるので、ホストコンピュータを画像形成装置に接続する必要もなく、また、画像形成装置をネットワークに接続する必要もない。
【００１１】
さらに、排出された後の媒体を単に画像形成装置内で搬送しているだけであるので、消耗品を全く消費することなく後処理を行うことができるので、画像形成装置のコストを低くすることができる。
【発明を実施するための最良の形態】
【００１２】
以下、本発明の実施の形態について図面を参照しながら詳細に説明する。なお、この場合、画像を形成する画像形成装置として、印刷を行う印刷装置について説明する。また、媒体として用紙を使用する場合について説明するが、用紙のほかに、ＯＨＰシート等を使用することもできる。
【００１３】
図１は本発明の第１の実施の形態における印刷装置のブロック図である。
【００１４】
図において、１１は印刷装置の全体の制御を行う印刷制御部、１２は操作装置及び指定部としての操作パネル１２であり、該操作パネル１２は、図示されない複数のキーから成る操作部、オペレータにメッセージを伝えるためのＬＣＤ等の表示部、及びオペレータに警報を伝えるためのＬＥＤ等の表示ランプを備える。
【００１５】
オペレータが前記操作部を操作して所定のパラメータを指定すると、前記印刷制御部１１は、図示されない上位装置としてのホストコンピュータ、ネットワーク等を介して受信した印刷データを解析したり、必要に応じてデータ変換処理を行ったりした後、図示されない画像データ展開部において画像データを展開し、前記画像データをページ単位でプリントエンジン部１３に送る。また、オペレータが、前記操作部を操作し、メニュー機能を使用して、トレイの指定、媒体サイズを表す用紙サイズの指定等の媒体供給条件、及び用紙を排出する媒体排出先の指定、用紙の排出方向の変更の指定、用紙の並べ替えの指定、片面・両面画像形成を表す片面・両面印刷の指定、用紙の仕分けを行うジョブオフセット（用紙を排出する際に排出位置を複数段階でずらすことによって、ジョブの仕分けを行う機能）等の各指定のうちの少なくとも一つを媒体排出条件として設定すると、前記印刷制御部１１は、指定に伴う信号、ページ情報等をプリントエンジン部１３に送る。
【００１６】
前記プリントエンジン部１３は、印刷制御部１１から送られた信号に基づいて、また、送られたページ情報等に基づいて用紙の供給、すなわち、給紙を行い、用紙に対して印刷を行い、印刷が行われた後の用紙を排出する。そのために、前記プリントエンジン部１３は、それぞれ像担（たん）持体としてイエロー（Ｙ）ドラム、マゼンタ（Ｍ）ドラム、シアン（Ｃ）ドラム及びブラック（Ｂｋ）ドラムの各ドラムを備えたイメージドラム部１３ｂ、前記各ドラムを別々に上下方向に移動させ、下方の画像形成位置及び上方の退避位置に置くイメージドラム制御部１３ａ、ヒータ１３ｄ、該ヒータ１３ｄをオン・オフして定着部としての定着装置の温度を制御するヒータ制御部１３ｃ、両面印刷を実行する際に、片面に印刷が行われた用紙を裏返して搬送する反転機構部としての両面印刷機構部１３ｅ等を備える。
【００１７】
また、媒体排出部としての排紙部１４は用紙を排出するためのものであり、印刷された面を下にして用紙を排出するためのフェースダウンスタッカ１４ａ、該フェースダウンスタッカ１４ａに排出する際に、ジョブオフセット処理を行うジョブオフセット処理部１４ｂ、印刷された面を上にして用紙を排出するためのフェースアップスタッカ１４ｃ等を備える。
【００１８】
そして、媒体供給部としての給紙部１５は媒体搭載部としての複数のトレイ１５ａ、１５ｂ、…、１５ｎを備え、該各トレイ１５ａ、１５ｂ、…、１５ｎには、印刷が行われる前の用紙だけでなく、印刷済みの用紙を搭載し、収容することが可能である。
【００１９】
したがって、プリントエンジン部１３において、印刷制御部１１から画像データが送られると、イメージドラム制御部１３ａは、各ドラムを画像形成位置に置き、図示されない露光装置は画像データに基づいて各ドラムに静電潜像を形成する。続いて、図示されない現像装置は各静電潜像に各色のトナーを付着させて各色のトナー像を形成し、図示されない転写装置は給紙部１５から供給された用紙に各色のトナー像を順次転写し、用紙上にカラーのトナー像を形成する。
【００２０】
そして、前記用紙は前記定着装置に送られ、定着装置は、カラーのトナー像を用紙に定着し、カラーの画像を形成する。なお、前記各ドラム、露光装置、転写装置、定着装置等によって画像を形成する画像形成部が構成される。
【００２１】
このようにして、用紙にカラーの画像が形成され、印刷が行われるが、片面印刷が行われる場合、用紙は排紙部１４に送られ、該排紙部１４は、前記用紙をフェースダウンスタッカ１４ａ又はフェースアップスタッカ１４ｃに排出する。また、両面印刷が行われる場合、前記両面印刷機構部１３ｅは、表面にカラーの画像が形成された用紙を裏返して搬送し、裏面にもカラーの画像を形成した後、排紙部１４に送り、該排紙部１４は、前記用紙をフェースダウンスタッカ１４ａ又はフェースアップスタッカ１４ｃに排出する。このようにして、用紙に対して印刷が行われる。
【００２２】
なお、給紙部１５からイメージドラム部１３ａに用紙を搬送したり、イメージドラム部１３ａから排紙部１４に用紙を搬送したりするために図示されない搬送部が配設される。該搬送部は、ホッピングローラ、搬送ローラ等のローラ類、該ローラ類を回転させるためのモータ、搬送路を切り替える切替機構等から成る。
【００２３】
次に、フェースダウンスタッカ１４ａ又はフェースアップスタッカ１４ｃに排出された印刷済みの用紙に対してジョブオフセット処理等の後処理を行う場合の印刷装置の動作について説明する。この場合、１ジョブを１０枚として、２部の印刷が行われた後の２０枚の印刷済みの用紙を印刷装置にセットし、前記用紙を逆順に（最終用紙が先頭になるように）並べ替えて、すなわち、逆順排紙にして、部単位でジョブオフセット処理を行う場合について説明する。
【００２４】
図２は本発明の第１の実施の形態における印刷装置の動作を示すメインフローチャート、図３は本発明の第１の実施の形態における画像データ作成処理のサブルーチンを示す図、図４は本発明の第１の実施の形態における操作パネルの表示例を示す第１の図、図５は本発明の第１の実施の形態における操作パネルの表示例を示す第２の図、図６は本発明の第１の実施の形態における操作パネルの表示例を示す第３の図、図７は本発明の第１の実施の形態における操作パネルの表示例を示す第４の図、図８は本発明の第１の実施の形態における操作パネルの表示例を示す第５の図、図９は本発明の第１の実施の形態における操作パネルの表示例を示す第６の図である。
【００２５】
図において、１２は操作パネル、３１は操作部、３２は表示部、３３は表示ランプである。
【００２６】
まず、オペレータが印刷済みの用紙２０枚を、例えば、トレイ１５ａ（図１）にセットし、操作部３１を操作して媒体供給条件としてトレイ１５ａの指定を行うと、印刷制御部１１はトレイ１５ａの指定を受け、印刷制御部１１の図示されない表示処理手段は、表示処理を行い、表示部３２に、図４に示されるような、給紙を行う旨の「ＰＡＰＥＲ  ＦＥＥＤ」、及びトレイ１５ａが指定された旨の「ＴＲＡＹ１」を表示する。
【００２７】
次に、オペレータが媒体排出条件として逆順排紙及び部単位のジョブオフセット処理を指定すると、印刷制御部１１は媒体排出条件の指定を受け、前記表示処理手段は、表示部３２に、図５に示されるような、逆順排紙を行う旨の「ＲＥＶＥＲＳＥ  ＯＵＴＰＵＴ  ＯＮ」を表示し、図６に示されるような、ジョブオフセットを有効にする旨の「ＪＯＢ  ＯＦＦＳＥＴ  ＯＮ」を表示し、図７に示されるような、トレイ１５ａからの給紙が行われ、１ジョブの枚数Ｍｊが１０の印刷が行われる旨の「１  ＪＯＢ  ＰＡＰＥＲ  ＴＲＡＹ１  １０」を表示し、図８に示されるような、ジョブの部数Ｋｊが２である旨の「ＪＯＢ  ＶＯＬＵＭＥ  ２」を表示する。
【００２８】
続いて、オペレータが、操作部３１を操作して実際の印刷が行われず、給紙部１５による給紙及び排紙部１４による排紙だけが行われる非画像形成動作として白色印刷を指定すると、該白色印刷の指定を受け、印刷制御部１１の図示されない画像データ作成処理手段は、画像データ作成処理を行い、白色印刷を行うための白色データを作成する。
【００２９】
そのために、前記画像データ作成処理手段は、まず、白色印刷を行うページ数Ｎ
Ｎ＝Ｍｊ・Ｋｊ
を算出する。この場合、１ジョブの枚数Ｍｊが１０であり、ジョブの部数Ｋｊが２であるので、
Ｎ＝１０×２
＝２０
になる。
【００３０】
次に、前記画像データ作成処理手段の媒体排出処理手段としての媒体排出処理部は、媒体排出処理を行い、前記媒体排出条件で用紙を排出する。そのために、前記媒体排出処理部は、逆順排紙の指定があるかどうかを判断し、逆順排紙の指定がある場合、ジョブオフセットの指定があるかどうかを判断し、ジョブオフセットの指定がある場合、用紙の排出先をフェースダウンスタッカ１４ａに設定し、両面印刷の指定を行う。なお、本実施の形態においては、フェースアップスタッカ１４ｃが使用される場合、ジョブオフセットが無効になるように設定されているので、ジョブオフセットが指定された場合、排出先はフェースダウンスタッカ１４ａにする必要がある。また、フェースダウンスタッカ１４ａに逆順で排出するためには、両面印刷機構部１３ｅ内を走行させて用紙の表裏を反転させる必要がある。
【００３１】
続いて、前記画像データ作成処理手段は、ページ数Ｎを２倍にし、４０ページとする。これは、両面印刷を指定したためである。続いて、前記画像データ作成処理手段は、４０ページの白色データを作成する。
【００３２】
このようにして、画像データ作成処理が行われると、前記イメージドラム制御部１３ａは、前記各ドラムを退避位置に置く。こうすることによって、各ドラムが用紙と接触しないようになるので、各ドラムが回転することがなくなる。また、前記非画像形成動作の指定に伴って、ヒータ制御部１３ｃはヒータ１３ｄをオフにして定着装置の加熱を制限する。この場合、各ドラムがすべて退避位置に置かれ、用紙にトナー像が転写されないので、ヒータ１３ｄによってトナー像を定着する必要がないからである。
【００３３】
そして、前記印刷制御部１１の図示されない白色印刷処理手段は、白色印刷処理を行い、トレイ１５ａから給紙を行い、白色データに従って、１ジョブが２０ページの白色印刷を両面印刷で２ジョブ分行い、前記白色印刷処理手段のジョブオフセット処理手段としてのジョブオフセット処理部１４ｂは、ジョブオフセット処理を行い、用紙をジョブオフセットでフェースダウンスタッカ１４ａに排出する。このようにして、ジョブ単位で仕分けされた用紙が逆順で排出される。
【００３４】
このように、本実施の形態においては、印刷済みの用紙に対してジョブオフセット処理を行うことができる。
【００３５】
また、印刷装置単体でジョブオフセット処理を行うことができるので、ホストコンピュータを印刷装置に接続する必要もなく、また、印刷装置をネットワークに接続する必要もない。
【００３６】
さらに、印刷済みの用紙を単に印刷装置内で搬送しているだけであるので、各ドラムは回転することなく、トナーは消費されない。そして、ヒータ１３ｄがオフにされるので、ヒータ１３ｄを無用に加熱することもない。したがって、消耗品を全く消費することなく後処理を行うことができるので、印刷装置のコストを低くすることができる。
【００３７】
次に、図２のフローチャートについて説明する。
ステップＳ１  印刷済みの用紙をトレイ１５ａにセットする。
ステップＳ２  媒体供給条件の指定を受ける。
ステップＳ３  媒体排出条件の指定を受ける。
ステップＳ４  白色印刷の指定を受ける。
ステップＳ５  画像データ作成処理を行う。
ステップＳ６  各ドラムを退避位置に置く。
ステップＳ７  ヒータ１３ｄをオフにする。
ステップＳ８  白色印刷処理を行い、処理を終了する。
【００３８】
次に、図３のフローチャートについて説明する。
ステップＳ５−１  ページ数Ｎを算出する。
ステップＳ５−２  逆順排紙の指定があるかどうかを判断する。逆順排紙の指定がある場合はステップＳ５−４に、ない場合はステップＳ５−３に進む。
ステップＳ５−３  排出先をフェースダウンスタッカ１４ａに設定する。
ステップＳ５−４  ジョブオフセットの指定があるかどうかを判断する。ジョブオフセットの指定がある場合はステップＳ５−６に、ない場合はステップＳ５−５に進む。
ステップＳ５−５  排出先をフェースアップスタッカ１４ｃに設定する。
ステップＳ５−６  排出先をフェースダウンスタッカ１４ａに設定する。
ステップＳ５−７  両面印刷を指定する。
ステップＳ５−８  ページ数Ｎを２倍にする。
ステップＳ５−９  Ｎページの白色データを作成し、処理を終了する。
【００３９】
次に、本発明の第２の実施の形態について説明する。なお、第１の実施の形態と同じ構造を有するものについては、同じ符号を付与することによってその説明を省略し、同じ構造を有することによる発明の効果については同実施の形態の効果を援用する。
【００４０】
図１０は本発明の第２の実施の形態における印刷装置のブロック図である。
【００４１】
この場合、媒体排出部としての排紙部２４は、フェースダウンスタッカ１４ａ、ジョブオフセット処理部１４ｂ及びフェースアップスタッカ１４ｃのほかに、２枚以上の用紙に対してステープル処理を行うステープル処理部２４ａ、及び１枚ごとに用紙に対してパンチ処理を行うパンチ処理部２４ｂを備える。
【００４２】
次に、印刷済みの用紙に対してステープル処理、パンチ処理等の後処理を行う場合の印刷装置の動作について説明する。この場合、１ジョブを１０枚として、２部の印刷が行われた後の２０枚の印刷済みの用紙を印刷装置にセットし、パンチ処理を行い、部単位でステープル処理を行って、フェースダウンスタッカ１４ａに排出する場合について説明する。なお、メインフローチャートについては、本発明の第１の実施の形態と同じであるので、図２を援用する。
【００４３】
図１１は本発明の第２の実施の形態における白色印刷処理のサブルーチンを示す図、図１２は本発明の第２の実施の形態における操作パネルの表示例を示す第１の図、図１３は本発明の第２の実施の形態における操作パネルの表示例を示す第２の図、図１４は本発明の第２の実施の形態における操作パネルの表示例を示す第３の図である。
【００４４】
まず、オペレータが印刷済みの用紙２０枚を、例えば、媒体搭載部としてのトレイ１５ａ（図１０）にセットし、指定部としての操作パネル１２の操作部３１を操作して媒体供給条件としてトレイ１５ａの指定を行うと、印刷制御部１１はトレイ１５ａの指定を受け、印刷制御部１１の図示されない表示処理手段は、表示処理を行い、表示部３２に、図４に示されるような、給紙を行う旨の「ＰＡＰＥＲ  ＦＥＥＤ」、及びトレイ１５ａが指定された旨の「ＴＲＡＹ１」を表示する。
【００４５】
次に、オペレータが媒体排出条件としてステープル処理及びパンチ処理を指定すると、印刷制御部１１は媒体排出条件の指定を受け、前記表示処理手段は、表示処理を行い、表示部３２に、図１２に示されるような、ステープル処理を行う旨の「ＳＴＡＰＬＥ  ＯＮ」を表示し、図１３に示されるような、パンチ処理を行う旨の「ＰＡＮＣＨ  ＯＮ」を表示し、図１４に示されるような、排出先としてフェースダウンスタッカ１４ａが指定された旨の「ＯＵＴＰＵＴ  ＢＩＮ  ＦＡＣＥ  ＤＯＷＮ」を表示する。
【００４６】
続いて、オペレータが、操作部３１を操作して非画像形成動作として白色印刷を指定すると、該白色印刷の指定を受け、印刷制御部１１の図示されない画像データ作成処理手段は、第１の実施の形態と同様の画像データ作成処理を行い、白色印刷を行うための白色データを作成する。
【００４７】
次に、前記イメージドラム制御部１３ａは、各ドラムを退避位置に置き、ヒータ制御部１３ｃはヒータ１３ｄをオフにする。
【００４８】
続いて、前記印刷制御部１１の図示されない白色印刷処理手段は、白色印刷処理を行い、トレイ１５ａから給紙を行う。そして、前記白色印刷処理手段は、パンチ処理の指定があるかどうかを判断し、パンチ処理の指定がある場合、白色印刷処理手段のパンチ処理手段としてのパンチ処理部２４ｂは、パンチ処理を行い、１枚単位で用紙にパンチ穴を開ける。
【００４９】
次に、前記白色印刷処理手段は、白色データに従って白色印刷を片面印刷で行い、ジョブの最終ページであるかどうかを判断し、最終ページでない場合、前記パンチ処理及び白色印刷をジョブの最終ページ（１０枚目）まで繰り返す。そして、最終ページである場合、前記白色印刷処理手段は、ステープル処理の指定があるかどうかを判断し、ステープル処理の指定がある場合、白色印刷処理手段のステープル処理手段としてのステープル処理部２４ａは、ステープル処理を行い、１０枚をホッチキスによって綴じる。
【００５０】
そして、前記白色印刷処理手段は、すべての処理が終了するまで、前記パンチ処理、白色印刷及びステープル処理を繰り返し、２部のステープルされた用紙をフェースダウンスタッカ１４ａに排出する。このようにして、ジョブ単位で仕分けされ、パンチ穴が開けられ、ステープルされた用紙が排出される。
【００５１】
このように、本実施の形態においては、印刷済みの用紙に対してパンチ処理、ステープル処理等を行うことができる。
【００５２】
また、印刷装置単体でパンチ処理、ステープル処理等を行うことができるので、ホストコンピュータを印刷装置に接続する必要もなく、また、印刷装置をネットワークに接続する必要もない。
【００５３】
さらに、印刷済みの用紙を単に印刷装置内で搬送しているだけであるので、各ドラムは回転することなく、トナーは消費されない。そして、ヒータ１３ｄがオフにされるので、定着器を無用に加熱することもない。したがって、消耗品を全く消費することなく後処理を行うことができるので、印刷装置のコストを低くすることができる。
【００５４】
次に、フローチャートについて説明する。
ステップＳ８−１  すべてのジョブが終了したかどうかを判断する。すべてのジョブが終了した場合はリターンし、終了していない場合はステップＳ８−２に進む。
ステップＳ８−２  パンチ処理の指定があるかどうかを判断する。パンチ処理の指定がある場合はステップＳ８−３に、ない場合はステップＳ８−４に進む。
ステップＳ８−３  パンチ処理を行う。
ステップＳ８−４  白色印刷を行う。
ステップＳ８−５  ジョブの最終ページであるかどうかを判断する。ジョブの最終ページである場合はステップＳ８−６に進み、ジョブの最終ページでない場合はステップＳ８−２に戻る。
ステップＳ８−６  ステープル処理の指定があるかどうかを判断する。ステープル処理の指定がある場合はステップＳ８−７に進み、ない場合はリターンする。ステップＳ８−７  ステープル処理を行い、リターンする。
【００５５】
なお、前記各実施の形態のようにイエロー、マゼンタ及びシアンの各色材を使用する減法混色印刷を行う場合、白色印刷時においてトナー像が用紙に形成されないが、レッド、グリーン及びブルーの各色材を使用する加法混色印刷を行う場合、黒色印刷時においてトナー像が用紙に形成されない。したがって、加法混色印刷を行う場合、前記非画像形成動作として黒色印刷が指定され、前記印刷制御部１１の図示されない黒色印刷処理手段は、黒色印刷処理を行い、黒色データに従って黒色印刷を行う。
【００５６】
そして、前記各実施の形態においては、スタッカとしてフェースダウンスタッカ１４ａ及びフェースアップスタッカ１４ｃが配設されるようになっているが、他のスタッカを配設することができる。
【００５７】
また、前記各実施の形態においては、印刷済みの用紙に対して後処理を行う場合について説明しているが、排紙部１４、２４によって排出される前の用紙に対して各種の後処理を行うことができる。
【００５８】
なお、本発明は前記実施の形態に限定されるものではなく、本発明の趣旨に基づいて種々変形させることが可能であり、それらを本発明の範囲から排除するものではない。
【図面の簡単な説明】
【００５９】
【図１】本発明の第１の実施の形態における印刷装置のブロック図である。
【図２】本発明の第１の実施の形態における印刷装置の動作を示すメインフローチャートである。
【図３】本発明の第１の実施の形態における画像データ作成処理のサブルーチンを示す図である。
【図４】本発明の第１の実施の形態における操作パネルの表示例を示す第１の図である。
【図５】本発明の第１の実施の形態における操作パネルの表示例を示す第２の図である。
【図６】本発明の第１の実施の形態における操作パネルの表示例を示す第３の図である。
【図７】本発明の第１の実施の形態における操作パネルの表示例を示す第４の図である。
【図８】本発明の第１の実施の形態における操作パネルの表示例を示す第５の図である。
【図９】本発明の第１の実施の形態における操作パネルの表示例を示す第６の図である。
【図１０】本発明の第２の実施の形態における印刷装置のブロック図である。
【図１１】本発明の第２の実施の形態における白色印刷処理のサブルーチンを示す図である。
【図１２】本発明の第２の実施の形態における操作パネルの表示例を示す第１の図である。
【図１３】本発明の第２の実施の形態における操作パネルの表示例を示す第２の図である。
【図１４】本発明の第２の実施の形態における操作パネルの表示例を示す第３の図である。
【符号の説明】
【００６０】
１１    印刷制御部
１２    操作パネル
１５ａ、１５ｂ、１５ｎ    トレイ
【図１】
2005067114.tif 000003
【図２】
2005067114.tif 000004
【図３】
2005067114.tif 000005
【図４】
2005067114.tif 000006
【図５】
2005067114.tif 000007
【図６】
2005067114.tif 000008
【図７】
2005067114.tif 000009
【図８】
2005067114.tif 000010
【図９】
2005067114.tif 000011
【図１０】
2005067114.tif 000012
【図１１】
2005067114.tif 000013
【図１２】
2005067114.tif 000014
【図１３】
2005067114.tif 000015
【図１４】
2005067114.tif 000016